【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
直交周波数分割多重システムにおけるワイヤレス通信のための方法であって、
隣接セルから信号を受信することと、
中心またはゼロシフトにおいて、ある測定領域に関して前記受信された信号の最小帯域幅を測定することと、
周波数オフセットに基づいて前記信号の前記測定領域をシフトさせることと、
前記シフトさせられた測定領域の前記最小帯域幅を測定することと、
前記信号の前記測定領域を、正の周波数オフセットから負の周波数オフセットへ代替的に回転させることと、
前記回転させられた測定領域をの前記最小帯域幅を測定することと、
を備える、方法。
【請求項２】
前記最小帯域幅を決定するための前記測定領域が、ナイキスト周波数（２Ｎ＋１）に基づく、請求項１に記載の方法。
【請求項３】
前記測定領域が、＋ｖｅおよび−ｖｅ周波数オフセットから代替的に回転させられる、請求項１に記載の方法。
【請求項４】
前記隣接セルの帯域幅全体にわたって隣接セル電力を推定すること
をさらに備える、請求項１に記載の方法。
【請求項５】
直交周波数分割多重ワイヤレス通信システムにおけるワイヤレス通信の装置であって、
隣接セルから信号を受信するための手段と、
中心またはゼロシフトにおいて、ある測定領域に関して前記受信された信号の最小帯域幅を測定するための手段と、
周波数オフセットに基づいて前記信号の前記測定領域をシフトさせるための手段と、
前記シフトさせられた測定領域の前記最小帯域幅を測定するための手段と、
前記信号の前記測定領域を、正の周波数オフセットから負の周波数オフセットへ代替的に回転させるための手段と、
前記回転させられた測定領域の前記最小帯域幅を測定するための手段と、
を備える、装置。
【請求項６】
前記最小帯域幅を決定するための前記測定領域が、ナイキスト周波数（２Ｎ＋１）に基づく、請求項５に記載の装置。
【請求項７】
前記測定領域が、＋ｖｅおよび−ｖｅ周波数オフセットから代替的に回転させられる、請求項５に記載の装置。
【請求項８】
前記隣接セルの帯域幅全体にわたって隣接セル電力を推定するための手段
をさらに備える、請求項５に記載の装置。
【請求項９】
コンピュータプログラム製品であって、
コンピュータに請求項１乃至４のいずれかにしたがって方法を実行させる
ためのコードを備えるコンピュータ読み取り可能な媒体
を備える、コンピュータプログラム製品。
【手続補正２】
【補正対象書類名】明細書
【補正対象項目名】００５８
【補正方法】変更
【補正の内容】
【００５８】
[0065]  先の説明は、当業者に、本明細書に説明された様々な態様を実現することを可能にさせるために提供されている。これらの態様への様々な変更は当業者には容易に明らかになるであろうし、本明細書で定義される一般的な本質は他の態様に適用され得る。したがって、請求項は、本明細書に示される態様に限定されるように意図されたものではなく、請求項の文言と一致する最大範囲であると認められるべきであり、この場合、単数形でのエレメントへの言及は、そのように明確に述べられていない限りは「１つおよび１つのみ」を意味するのではなく、むしろ「１つ以上」を意味するように意図されている。そうでないことが明確に述べられていない限り、「いくつかの」という用語は、１つ以上のことを指している。項目のリストのうちの「少なくとも１つ」に言及するフレーズは、単一のメンバを含む、それらの項目のうちの任意の組み合わせに言及するものである。例として、「ａ、ｂ、またはｃのうちの少なくとも１つ」は、ａ、ｂ、ｃ、ａおよびｂ、ａおよびｃ、ｂおよびｃ、ならびにａ、ｂおよびｃをカバーするように意図されている。当業者によって既知のあるいは後に知られることになる、本開示の全体を通して説明された様々な態様のエレメントに対する全ての構造上のおよび機能上の同等物は、参照によりここに明確に組み込まれ、特許請求の範囲によって包含されるように意図されている。さらに、ここで開示したものはいずれも、そのような開示が特許請求の範囲に明示的に記載されているか否かにかかわらず、公に捧げられることを意図するものではない。請求項のエレメントはいずれも、エレメントが「〜のための手段」というフレーズを使用して明確に記載されない限り、または、方法の請求項の場合には、エレメントが「〜のためのステップ」というフレーズを使用して記載されない限り、３５Ｕ.Ｓ.Ｃ.§１１２、第６段落の規定のもとで解釈されるべきではない。
以下に、本願出願の当初の特許請求の範囲に記載された発明を付記する。
［Ｃ１］  ワイヤレス通信のための方法であって、
隣接セルから信号を受信することと、
中心またはゼロシフトにおいて、ある測定領域に関して前記受信された信号の最小帯域幅を測定することと、
周波数オフセットに基づいて前記信号の前記測定領域をシフトさせることと、
前記信号の前記測定領域を、正の周波数オフセットから負の周波数オフセットへ代替的に回転させることと
を備える、方法。
［Ｃ２］  前記最小帯域幅を決定するための前記測定領域が、ナイキスト周波数（２Ｎ＋１）に基づく、Ｃ１に記載の方法。
［Ｃ３］  前記測定領域が、＋ｖｅおよび−ｖｅ周波数オフセットから代替的に回転させられる、Ｃ１に記載の方法。
［Ｃ４］  前記隣接セルの帯域幅全体にわたって前記隣接セル電力を推定すること
をさらに備える、Ｃ１に記載の方法。
［Ｃ５］  ワイヤレス通信ネットワークにおけるワイヤレス通信の装置であって、
隣接セルから信号を受信するための手段と、
中心またはゼロシフトにおいて、ある測定領域に関して前記受信された信号の最小帯域幅を測定するための手段と、
周波数オフセットに基づいて前記信号の前記測定領域をシフトさせるための手段と、
前記信号の前記測定領域を、正の周波数オフセットから負の周波数オフセットへ代替的に回転させるための手段と
を備える、装置。
［Ｃ６］  前記最小帯域幅を決定するための前記測定領域が、ナイキスト周波数（２Ｎ＋１）に基づく、Ｃ５に記載の装置。
［Ｃ７］  前記測定領域が、＋ｖｅおよび−ｖｅ周波数オフセットから代替的に回転させられる、Ｃ５に記載の装置。
［Ｃ８］  前記隣接セルの帯域幅全体にわたって前記隣接セル電力を推定するための手段
をさらに備える、Ｃ５に記載の装置。
［Ｃ９］  コンピュータプログラム製品であって、
隣接セルから信号を受信し、
中心またはゼロシフトにおいて、ある測定領域に関して前記受信された信号の最小帯域幅を測定し、
周波数オフセットに基づいて前記信号の前記測定領域をシフトさせ、
前記信号の前記測定領域を、正の周波数オフセットから負の周波数オフセットへ代替的に回転させる
ためのコードを備えるコンピュータ読み取り可能な媒体
を備える、コンピュータプログラム製品。
［Ｃ１０］  ワイヤレス通信ネットワークにおけるワイヤレス通信の装置であって、
少なくとも１つのプロセッサと、
前記少なくとも１つのプロセッサに結合されたメモリと、を備え、
ここにおいて、前記少なくとも１つのプロセッサは、
隣接セルから信号を受信し、
中心またはゼロシフトにおいて、ある測定領域に関して前記受信された信号の最小帯域幅を測定し、
周波数オフセットに基づいて前記信号の前記測定領域をシフトさせ、
前記信号の前記測定領域を、正の周波数オフセットから負の周波数オフセットへ代替的に回転させる
ように構成される、装置。
［Ｃ１１］  前記最小帯域幅を決定するための前記測定領域が、ナイキスト周波数（２Ｎ＋１）に基づく、Ｃ１０に記載の装置。
［Ｃ１２］  前記測定領域が、＋ｖｅおよび−ｖｅ周波数オフセットから代替的に回転させられる、Ｃ１０に記載の装置。
［Ｃ１３］  前記プロセッサが、前記隣接セルの帯域幅全体にわたって前記隣接セル電力を推定する
ようにさらに構成される、Ｃ１０に記載の装置。